(57)【要約】【課題】本発明は、サーバーをキャビネットに簡便に取り付けることができるサーバーキャビネットを提供することを目的とする。【解決手段】本発明に係るサーバーキャビネットは、底板と、前記底板の対向する両側に設置され且つ前記底板に直交する２つの側板と、前記底板の２つの前記側板に近い両側に設置される２つのガイドレールと、を備え、サーバーを、前記ガイドレールに沿って前記サーバーキャビネットの内部へスライドすることができ、前記ガイドレールの延在方向は前記サーバーの移動方向と同じであり、前記ガイドレールは、前記サーバーをガイドするガイド部を備える。【選択図】図１
2011205095.tif 000002
【特許請求の範囲】
【請求項１】
底板と、
前記底板の対向する両側に設置され、且つ前記底板に直交する２つの側板と、
２つの前記側板に近い前記底板の両側に設置される２つのガイドレールと、
を備えてなるサーバーキャビネットであって、
サーバーを、前記ガイドレールに沿って前記サーバーキャビネットの内部へスライドすることができ、前記ガイドレールの延在方向は前記サーバーの移動方向と同じであり、前記ガイドレールは、前記サーバーをガイドするガイド部を備えることを特徴とするサーバーキャビネット。
【請求項２】
前記ガイドレールは、前記底板に固定される固定部と、前記固定部に直交する支持部と、をさらに備え、前記支持部の自由端が前記固定部に平行するように延在して前記ガイド部を形成することを特徴とする請求項１に記載のサーバーキャビネット。
【請求項３】
２つの前記ガイドレールの２つの前記ガイド部は、向かい合うことを特徴とする請求項２に記載のサーバーキャビネット。
【発明の詳細な説明】
【技術分野】
【０００１】
本発明は、サーバーキャビネットに関するものであって、特にサーバーをキャビネットに簡便に取り付けることができるサーバーキャビネットに関するものである。
【背景技術】
【０００２】
情報技術の発展に伴って、知識経済も増長し、データを保存及び計算するために、各種のデータ保存センター及びデータ計算センターを確立した。複数のサーバーを１つのキャビネットに装着すると、空間を節約できるばかりでなく、簡便に管理することができ、また、複数のサーバーが協同して作動するため、多数の計算項目を実行することができる。従って、サーバーキャビネットは、データ保存センター及びデータ計算センターを確立する時に広く応用される。
【０００３】
サーバーをキャビネットに装着する際、サーバーをキャビネットに挿入してから、ねじ又は他の固定部材でサーバーの前後両側をキャビネットの前後支持柱に固定する。しかし、サーバーをキャビネットに装着する前に、サーバーの取付位置を決めなければならず、且つサーバーをキャビネットに挿入する際、キャビネットの位置の偏りを避けるために、二人の操作員が一緒に協力するか又は他の設備を必要とするため、サーバーをキャビネットに装着する操作が煩雑である。
【発明の概要】
【発明が解決しようとする課題】
【０００４】
本発明の目的は、前記課題を解決し、サーバーをキャビネットに簡便に取り付けることができるサーバーキャビネットを提供することである。
【課題を解決するための手段】
【０００５】
本発明に係るサーバーキャビネットは、底板と、前記底板の対向する両側に設置され且つ前記底板に直交する２つの側板と、前記底板の２つの前記側板に近い両側に設置される２つのガイドレールと、を備え、サーバーは前記ガイドレールに沿って前記サーバーキャビネットの内部へスライドすることができ、前記ガイドレールの延在方向は前記サーバーの移動方向と同じであり、前記ガイドレールは、前記サーバーをガイドするガイド部を備える。
【発明の効果】
【０００６】
本発明のサーバーキャビネットには、ガイドレールが装着されており、前記ガイドレールによってサーバーをガイドして、前記サーバーを前記サーバーキャビネットの内部に簡便に取り付けることができる。
【図面の簡単な説明】
【０００７】
【図１】本発明の実施形態に係るサーバーキャビネットの立体分解図である。
【図２】図１に示すサーバーキャビネットのガイドレールの立体拡大図である。
【図３】図１に示すサーバーキャビネットの立体組立図である。
【図４】図３に示すサーバーキャビネットの内部にサーバーを取り付ける過程を示す図である。
【発明を実施するための形態】
【０００８】
以下、図面を参照して、本発明の実施形態について説明する。
【０００９】
図１を参照すると、本発明の実施形態に係るサーバーキャビネット１０の内部にサーバーを簡便に取り付けることができる。
【００１０】
前記サーバーキャビネット１０は、底板１１と、前記底板１１の対向する両側に設置され且つ前記底板１１に直交する２つの側板１２と、を備える。前記底板１１の２つの前記側板１２に近い両側には、ガイドレール３０を取り付けるために用いられる一対の第一取付孔１１１及び一対の第二取付孔１１３がそれぞれに設けられる。前記サーバーキャビネット１０には、入口１３が設けられる（図３を参照）。前記底板１１には、互いに平行する２つの支持部材１１５が装着されており、１つの前記支持部材１１５は前記入口１３に近く、他の１つの前記支持部材１１５は前記ガイドレール３０に近い。
【００１１】
図２を参照すると、前記ガイドレール３０の横断面は、略Ｌ字状である。前記ガイドレール３０は、矩形の固定部３１と、前記固定部３１の長手方向の１つの側辺から前記固定部３１に直交するように延在して形成される矩形の支持部３２と、前記支持部３２の自由端から前記固定部３１に平行に延在して形成されるガイド部３２１と、を備える。前記固定部３１には、一対の第一固定孔３１１及び一対の第二固定孔３１３が設けられる。前記固定部３１の一対の第一固定孔３１１は、前記底板１１の片側の一対の第一取付孔１１１に対応し、前記固定部３１の一対の第二固定孔３１３は、前記底板１１の片側の一対の第二取付孔１１３に対応する。
【００１２】
図１〜図３を参照すると、２つの前記ガイドレール３０を前記底板１１に固定する場合、先ず、１つの前記ガイドレール３０の一対の第一固定孔３１１及び一対の第二固定孔３１３の位置を、前記底板１１の片側の一対の第一取付孔１１１及び一対の第二取付孔１１３に位置合わせする。次に、２つのねじ３６を、前記底板１１の上表面から前記ガイドレール３０の一対の第一固定孔３１１と、前記底板１１の片側の一対の第一取付孔１１１とに順次取り付ける。また、２つのねじ１１７を、前記底板１１の下表面から前記底板１１の片側の一対の第二取付孔１１３と、前記ガイドレール３０の一対の第二固定孔３１３とに順次取り付ける。これらの取付作業によって、前記ガイドレール３０を前記底板１１の片側に固定する。次に、同じ方法で他の１つの前記ガイドレール３０を前記底板１１の他の片側に固定する。２つの前記ガイドレール３０は互いに平行し、且つ、２つの前記ガイドレール３０の２つのガイド部３２１は向かい合う。前記ガイドレール３０の延在方向は、前記支持部材１１５の延在方向に直交する。
【００１３】
図４を参照すると、サーバー５０を前記サーバーキャビネット１０の内部に取り付ける場合には、前記サーバー５０を前記サーバーキャビネット１０の入口１３から２つの前記支持部材１１５の上に配置してから、前記サーバー５０を推進することにより、前記サーバー５０を２つの前記ガイドレール３０のガイド部３２１に沿って前記サーバーキャビネット１０の内部へスライドさせる。
【００１４】
前記サーバーキャビネット１０から前記サーバー５０を取り外す場合には、前記サーバー５０を引っ張り、前記サーバー５０を２つの前記ガイドレール３０のガイド部３２１に沿ってスライドさせて２つの前記支持部材１１５の上に到達させることにより、前記サーバーキャビネット１０の入口１３から前記サーバー５０を取り出すことができる。
【００１５】
他の実施形態において、前記ガイドレール３０と前記底板１１とは一体成型される。
【００１６】
以上、本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲によって特定される。
【符号の説明】
【００１７】
１０  サーバーキャビネット
１１  底板
１２  側板
１３  入口
３０  ガイドレール
３１  固定部
３２  支持部
３６，１１７  ねじ
５０  サーバー
１１１  第一取付孔
１１３  第二取付孔
１１５  支持部材
３１１  第一固定孔
３１３  第二固定孔
３２１  ガイド部
【図１】
2011205095.tif 000003
【図２】
2011205095.tif 000004
【図３】
2011205095.tif 000005
【図４】
2011205095.tif 000006